(57)【要約】【課題】庫内に外気を導入・排気する換気熱交換ユニットを設けることなく熱ロスと庫内スペースの減少を抑え、かつエチレン除去を行うことで農産物の鮮度保持できる保冷庫を提供する。【解決手段】農産物を収納する収納庫２と、空気温度を制御する冷却ユニット１０１と、吸込空気風路壁１５と吹出空気風路壁１７の少なくともどちらかに光触媒をコーティングし、光触媒に紫外線を照射する光源１６を冷却ユニット１０１に備えて農産物の鮮度保持できる保冷庫を実現するものである。【選択図】図１
2006162164.tif 000002
【特許請求の範囲】
【請求項１】
農産物を収納する収納庫と、前記収納庫内の空気温度を制御する冷却ユニットとを備え、前記冷却ユニットに光触媒と前記光触媒に紫外線を照射する光源とを設けた保冷庫。
【請求項２】
冷却ユニットの吸込空気風路壁と吹出空気風路壁の少なくともどちらかに光触媒をコーティングし、その近傍に光源を備えた請求項１に記載の保冷庫。
【請求項３】
冷却ユニットの吸込空気側と吹出空気側に設けたフィルターの少なくともどちらかに光触媒をコーティングし、その近傍に光源を設けた請求項１に記載の保冷庫。
【請求項４】
冷却ユニットの冷却器に設けたフィンとチューブの少なくともどちらかに光触媒をコーティングし、その近傍に光源を設けた請求項１に記載の保冷庫。
【請求項５】
冷却ユニットのドレン受け皿に光触媒をコーティングし、その近傍に光源を設けた請求項１に記載の保冷庫。
【請求項６】
農産物を収納する収納庫と、前記収納庫内の空気温度を制御する冷却ユニットと、光触媒と、前記光触媒に紫外線を照射する光源を備え、前記冷却ユニットからの吹き出し空気の風向を変えるガイダーに光触媒をコーティングし、その近傍に光源を設けた保冷庫。
【発明の詳細な説明】
【技術分野】
【０００１】
本発明は、花卉、果物、野菜、穀物などの低温保存に適した保冷庫に係り、更に詳しくはエチレン除去機能を備えた保冷庫に関する。
【背景技術】
【０００２】
従来、農産物を収容する収納庫内を冷媒回路の冷却器により冷却するようにした保冷庫が知られている。かかる保冷庫において、保存中に農産物から自己発生して鮮度低下や腐敗進行を引き起こすとされるエチレンガスの除去手段が必要となる(例えば、特許文献１参照)。
【０００３】
図４は、特許文献１に記載された従来の保冷庫の側面から見た構成図である。図４に示すように、保冷庫１は、農産物を収容する収納庫２と、収納庫２の庫内を所定温度に冷却する冷却ユニット３から構成されている。冷却ユニット３は、圧縮機（図示なし）と放熱器（図示なし）と減圧装置（図示なし）と冷却器５と冷却用ファン６とドレン受け皿７とドレンホース８から構成されている。また、換気熱交換ユニット９は、換気用ファン１０と熱交換エレメント１１から構成されている。
【０００４】
以上のように構成された保冷庫について、以下その動作、作用を説明する。
収納庫２内の空気は、冷却用ファン６によって、吸込空気風路１２を経て冷却器５に吸い込まれる。冷却器５で冷却除湿された空気は、吹出空気風路１３と吹出部ガイダー１４を経て、再び庫内に戻る。この様にして収納庫２内の空気を低温に保つことが可能となる。
【０００５】
一方、保存中に農産物から自己発生して鮮度低下や腐敗進行を引き起こすとされるエチレンガスを除去するために、換気熱交換ユニット９により、エチレンガス濃度の高い空気を庫外に排気し、庫外のフレッシュな空気を庫内に取りんでいる。この時、換気熱交換ユニット９の熱交換エレメント１１により、熱回収を行い、給排気に伴う熱損失を極力抑えるものである。
【特許文献１】特開２００２−３２３２８２号公報
【発明の開示】
【発明が解決しようとする課題】
【０００６】
しかしながら、上記従来の構成において、エチレンガス濃度を下げるために必要な換気熱交換ユニット９は、給排気による熱回収の際に完全に熱回収することは難しく熱ロスが発生する課題を有し、更に換気熱交換ユニット９が庫内側に位置するため、庫内スペースが少なくなるという課題を有していた。
【０００７】
本発明は、上記従来の課題を解決するもので、庫内に外気を導入・排気する換気熱交換ユニットを設けることなく熱ロスと庫内スペースの減少を抑え、かつエチレン除去を行うことで農産物の鮮度保持できる保冷庫を提供することを目的とする。
【課題を解決するための手段】
【０００８】
上記従来の課題を解決するために、本発明の保冷庫は、農産物を収納する収納庫と、前記収納庫内の空気温度を制御する冷却ユニットとを備え、前記冷却ユニットに光触媒と前記光触媒に紫外線を照射する光源とを設けたものである。
【０００９】
これによって、冷却ユニットに備えた光触媒に紫外線を照射して光触媒が活性化することによりエチレンを分解することができる。
【００１０】
また、本発明の保冷庫は、冷却ユニットの吸込空気風路壁と吹出空気風路壁の少なくともどちらかに光触媒をコーティングし、その近傍に光源を備えたものである。
【００１１】
これによって、空気風路壁の光触媒が光源（紫外線）照射によって活性化し、エチレンを分解することができる。
【００１２】
また、本発明の保冷庫は、冷却ユニットの吸込空気側と吹出空気側に設けたフィルターの少なくともどちらかに光触媒をコーティングし、その近傍に光源を設けたものである。
【００１３】
これによって、フィルターの光触媒が光源（紫外線）照射によって活性化し、エチレンを分解することができる。
【００１４】
また、本発明の保冷庫は、冷却ユニットの冷却器に設けたフィンとチューブの少なくともどちらかに光触媒をコーティングし、その近傍に光源を設けたものである。
【００１５】
これによって、冷却器に設けたフィンとチューブの光触媒が光源（紫外線）照射によって活性化し、エチレンを分解することができる。
【００１６】
また、本発明の保冷庫は、冷却ユニットのドレン受け皿に光触媒をコーティングし、その近傍に光源を備えたものである。
【００１７】
これによって、ドレン受け皿の光触媒が光源（紫外線）照射によって活性化し、エチレンを分解することができる。
【００１８】
また、本発明の保冷庫は、農産物を収納する収納庫と、前記収納庫内の空気温度を制御する冷却ユニットと、光触媒と、前記光触媒に紫外線を照射する光源を備え、前記冷却ユニットからの吹き出し空気の風向を変えるガイダーに光触媒をコーティングし、その近傍に光源を備えたものである。
【００１９】
これによって、ガイダーの光触媒が光源（紫外線）照射によって活性化し、エチレンを分解することができる。
【発明の効果】
【００２０】
本発明の保冷庫は、光触媒と前記光触媒に紫外線を照射する光源とを前記冷却ユニットに設けたので、背景技術の様な換気熱交換ユニットによる熱ロスや庫内スペースの減少を招くことなく、エチレン除去を行うことができる。
【００２１】
また、本発明の保冷庫は、空気風路壁に光触媒をコーティングしているので、エチレン除去を構成上簡素に実現できる。
【００２２】
また、本発明の保冷庫は、光触媒をフィルター状に集約しているので、光触媒のコーティング面積をより広く取ることができ、エチレン除去の効果をより強くすることができる。
【００２３】
また、本発明の保冷庫は、冷却器のフィンとチューブに光触媒をコーティングしているので、エチレン除去に加えて、冷却器に付着した有機物や臭気成分を分解できるため脱臭効果も有する。
【００２４】
また、本発明の保冷庫は、冷却ユニットのドレン受け皿に光触媒をコーティングしているので、エチレン除去に加えてドレン水の除菌も可能になり、雑菌等の成長によるスライム発生の抑制にもなりドレン詰まりを防止できる効果がある。
【００２５】
また、本発明の保冷庫は、冷却ユニットからの吹き出し空気の風向を変えるガイダーに光触媒をコーティングし、且つその近傍に光源を備えているので、エチレン除去に加えてメンテナンスが容易になる効果がある。
【発明を実施するための最良の形態】
【００２６】
請求項１に記載の発明は、農産物を収納する収納庫と、前記収納庫内の空気温度を制御する冷却ユニットとを備え、前記冷却ユニットに光触媒と前記光触媒に紫外線を照射する光源とを設けたものであり、冷却ユニットに設けた光触媒に紫外線を照射して光触媒が活性化することによりエチレンを分解することができ、背景技術の様な換気熱交換ユニットによる熱ロスや庫内スペースの減少を招くことなく、エチレン除去を行うことができる。
【００２７】
請求項２に記載の発明は、請求項１に記載の発明の保冷庫において、冷却ユニットの吸込空気風路壁と吹出空気風路壁の少なくともどちらかに光触媒をコーティングし、その近傍に光源を備えたものであり、空気風路壁の光触媒が光源（紫外線）照射によって活性化し、構成上簡素にエチレン除去を行うことができる。
【００２８】
請求項３に記載の発明は、請求項１に記載の発明の保冷庫において、冷却ユニットの吸込空気側と吹出空気側に設けたフィルターの少なくともどちらかに光触媒をコーティングし、その近傍に光源を設けたものであり、空気風路壁に設けたフィルターに光触媒をコーティングしているので、光触媒のコーティング面積をより広く取ることができ、エチレン除去の効果をより強くすることができる。
【００２９】
請求項４に記載の発明は、請求項１に記載の発明の保冷庫において、冷却ユニットの冷却器に設けたフィンとチューブの少なくともどちらかに光触媒をコーティングし、その近傍に光源を設けたものであり、エチレン除去に加えて、冷却器に付着した有機物や臭気成分を分解できるため脱臭効果も有する。
【００３０】
請求項５に記載の発明は、請求項１に記載の発明の保冷庫において、冷却ユニットのドレン受け皿に光触媒をコーティングし、その近傍に光源を備えた構成とすることにより、冷却ユニットのドレン受け皿に光触媒をコーティングしているので、エチレン除去に加えてドレン水の除菌も可能になり、雑菌等の成長によるスライム発生の抑制にもなりドレン詰まりを防止できる効果がある。
【００３１】
請求項６に記載の発明は、農産物を収納する収納庫と、前記収納庫内の空気温度を制御する冷却ユニットと、光触媒と、前記光触媒に紫外線を照射する光源を備え、前記冷却ユニットからの吹き出し空気の風向を変えるガイダーに光触媒をコーティングし、その近傍に光源を備えた構成とすることにより、エチレン除去に加えて収納庫内からメンテナンスが可能となるためメンテナンス性が良くなる効果がある。
【００３２】
以下、本発明の実施の形態について、図面を参照しながら説明する。なお、この実施の形態によってこの発明が限定されるものではない。
【００３３】
（実施の形態１）
図１は、本発明の実施の形態１における保冷庫の側面から見た構成図である。
なお、この実施形態の発明は、背景技術と同一構成および作用を奏する部分には同じ符号を付して詳細な説明を省き、異なる部分を中心に説明する。
【００３４】
図１において、保冷庫１００は、農産物を収容する収納庫２と、収納庫２の庫内を所定温度に冷却する冷却ユニット１０１から構成されている。冷却ユニット１０１は、圧縮機（図示なし）と放熱器（図示なし）と減圧装置（図示なし）と冷却器５と冷却用ファン６とドレン受け皿７とドレンホース８から構成されている。また、吸込空気風路壁１５は冷却器５の吸い込み側に位置する吸込空気風路１２の壁部分であり、酸化チタンなどの光触媒でコーティングされている。そして、その近傍に紫外線ランプや蛍光灯など紫外線を発する光源１６を備えている。同様に、吹出空気風路壁１７は冷却器５の吹き出し側に位置する吹出空気風路１３の壁部分であり、酸化チタンなどの光触媒でコーティングされている。そして、その近傍に紫外線ランプや蛍光灯など紫外線を光触媒コーティングされた部分に発する光源１８を備えている。ここで、吸込空気風路壁１５と光源１６、吹出空気風路壁１７と光源１８の組合せとして、いずれか一方、もしくは両方備えるものとする。
【００３５】
以上のように構成された保冷庫について、以下その動作、作用を説明する。
【００３６】
収納庫２と冷却ユニット１０１との空気流れは背景技術と同様である。吸込空気風路壁１５は光触媒でコーティングされているので、吸込空気風路１５を空気が通過する際に、光源１６から発せられる紫外線により、光触媒が活性化される。この時、保存中に農産物から自己発生して鮮度低下や腐敗進行を引き起こすとされるエチレンガスを分解することができ、従来技術の様な換気熱交換ユニットによる熱ロスや庫内スペースの減少を招くことなく、エチレン除去を行うことができる。また、吹出空気風路壁１７と光源１８の組合せにおいても、同様の作用と効果が得られるものである。
【００３７】
以上のように、本実施の形態においては、酸化チタンなどの光触媒でコーティングされた吸込空気風路壁１５または吹出空気風路壁１７、及び紫外線を発する光源１６または光源１８を備えているので、背景技術の様な換気熱交換ユニットによる熱ロスや庫内スペースの減少を招くことなく、エチレン除去を行うことができる。
【００３８】
（実施の形態２）
図２は、本発明の実施の形態２における保冷庫の側面から見た構成図である。
なお、この実施形態の発明は、背景技術と同一構成および作用を奏する部分には同じ符号を付して詳細な説明を省き、異なる部分を中心に説明する。
【００３９】
図２において、保冷庫１０２は、農産物を収容する収納庫２と、収納庫２の庫内を所定温度に冷却する冷却ユニット１０３から構成されている。冷却ユニット１０３に設けた冷却器１９は冷却器５（図示なし）にフィンとチューブの少なくとも一つ以上に、光触媒をコーティングしたものである。ドレン受け皿２０は、冷却器５（図示なし）からのドレン水を受けるドレン受け皿であり、容器の内外壁面を光触媒をコーティングしたものである。光源２１は冷却器１９やドレン受け皿２０に紫外線を発する光源である。また、光触媒フィルター２２は、冷却ユニット１０３の吸い込み部分に設けられたフィルターであり、光触媒をコートしたものである。
【００４０】
以上のように構成された保冷庫について、以下その動作、作用を説明する。
【００４１】
収納庫２と冷却ユニット１０３との空気流れは背景技術と同様である。冷却器１９とドレン受け皿２０と光触媒フィルター２２は光触媒でコーティングされているので、空気が通過する際に、光源２１から発せられる紫外線により、光触媒が活性化される。この時、保存中に農産物から自己発生して鮮度低下や腐敗進行を引き起こすとされるエチレンガスを分解することができる。
【００４２】
以上のように、本実施の形態においては、酸化チタンなどの光触媒でコーティングされた冷却器１９と紫外線を発する光源２１を備えているので、エチレン除去に加えて、冷却器に付着した有機物や臭気成分を分解できるため脱臭効果も有する。
【００４３】
また、酸化チタンなどの光触媒でコーティングされたドレン受け皿２０と紫外線を発する光源２１を備えているので、エチレン除去に加えて、ドレン水の除菌も可能になり、雑菌等の成長によるスライム発生の抑制にもなりドレン詰まりを防止できる効果がある。
【００４４】
また、冷却ユニットの吸込空気側に光触媒をフィルター状に備え、その近傍に光源を備えた構成とすることにより、光触媒のコーティング面積をより広く取ることができ、エチレン除去の効果をより強くすることができる。
【００４５】
なお、本実施の形態では、冷却ユニットの吸込空気側に光触媒フィルター２２を設けているが、冷却ユニットの吹出部に設けても同様の作用を有することは言うまでもない。
【００４６】
（実施の形態３）
図３は、本発明の実施の形態３における保冷庫の側面から見た構成図である。
なお、この実施形態の発明は、背景技術と同一構成および作用を奏する部分には同じ符号を付して詳細な説明を省き、異なる部分を中心に説明する。
【００４７】
図３において、保冷庫１０４は、農産物を収容する収納庫１０６と、収納庫１０６の庫内を所定温度に冷却する冷却ユニット３から構成されている。ガイダーの光触媒コート部２４は、冷却ユニット３から吹出し空気をガイドする吹出部ガイダー１４に光触媒をコーティングしたものである。光源２５はガイダーの光触媒コート部２４に紫外線を発する光源である。
【００４８】
以上のように構成された保冷庫について、以下その動作、作用を説明する。
【００４９】
光触媒でコーティング部分であるガイダーの光触媒コート部２４を空気が通過する際に、光源２５から発せられる紫外線により、光触媒が活性化される。この時、保存中に農産物から自己発生して鮮度低下や腐敗進行を引き起こすとされるエチレンガスを分解することができる。
【００５０】
以上のように、本実施の形態においては、農産物を収納する収納庫１０６と、収納庫１０６内の空気温度を制御する冷却ユニット３と、ガイダーの光触媒コート部２４と光源２５を備えた構成とすることにより、エチレン除去に加えて収納庫内からメンテナンスが可能となるためメンテナンス性が良くなる効果がある。
【産業上の利用可能性】
【００５１】
以上のように、本発明にかかる保冷庫は、エチレン除去を行う部分を冷却ユニット内に納めているので、さまざまな形態の収納庫に対して広く適用できる。
【図面の簡単な説明】
【００５２】
【図１】本発明の実施の形態１における保冷庫の側面から見た構成図
【図２】本発明の実施の形態２における保冷庫の側面から見た構成図
【図３】本発明の実施の形態３における保冷庫の側面から見た構成図
【図４】従来の保冷庫の側面から見た構成図
【符号の説明】
【００５３】
１００、１０２，１０４    保冷庫
２、１０６    収納庫
３、１０１、１０３    冷却ユニット
１４    吹出ガイダー
１５    吸込空気風路壁
１７    吹出空気風路壁
１６、１８、２１、２５    光源
１９    冷却器
２０    ドレン受け皿
２２    光触媒フィルター
２４    ガイダーの光触媒コート部
【図１】
2006162164.tif 000003
【図２】
2006162164.tif 000004
【図３】
2006162164.tif 000005
【図４】
2006162164.tif 000006